(57)【特許請求の範囲】
【請求項１】
タイル壁とこのタイル壁で覆われた躯体とに、アンカーナットを打ち込むための第１の孔を、前記タイル壁の目地部に沿って所定間隔毎に形成する工程と、
前記タイル壁に、その裏面と躯体のタイル貼り面との間に接着剤を充填するための第２の孔を目地部に沿って所定間隔毎に形成する工程と、
前記第１の孔にアンカーナットを打ち込む工程と、
複数に区分されたタイル壁に対して区分毎に当て部材を沿わせ、アンカーボルトを前記アンカーナットにねじ込むことによって当該当て部材をタイル壁に取り付ける工程と、
前記タイル壁を複数の区分毎に切離する工程と、
切離したタイル壁の区分毎にアンカーボルトを増し締めして、タイル壁を区分毎に躯体のタイル貼り面に押し付ける工程と、
タイル壁をタイル貼り面に押し付けた状態で、前記第２の孔を通して接着剤をタイル壁の裏面とタイル貼り面との間に充填する工程と、
前記接着剤を充填した後、前記アンカーボルト及び当て部材を取り外す工程と、
アンカーボルトを取り外した後の前記第１の孔を充填材で埋める工程と、
接着剤を充填した後、前記第２の孔を充填材で埋める工程と、
前記切離されたタイル壁の各区分の境界部を、充填材で埋める工程と
を含むことを特徴とするタイル壁の改修方法。
【請求項２】
前記アンカーボルトとして、グリースを塗布したものを用いる請求項１記載のタイル壁の改修方法。
【発明の詳細な説明】
【０００１】
【発明の属する技術分野】
この発明は、コンクリート躯体から浮き上がったタイル壁の改修方法に関する。
【０００２】
【従来の技術と発明が解決しようとする課題】
ビルや擁壁等の建造物のコンクリート躯体を覆うタイル壁については、経時的にコンクリート躯体から浮き上がることがあり、その改修方法としては、一般に、浮き上がったタイル壁を剥落させて新品のタイルを貼り付けることが行われている。
しかし、このような改修方法では、古いタイル壁と新しいタイル壁とが混在することから、色がばらついて外観が悪くなるとともに改修コストが高くつくという問題があった。また、歴史的な建造物等については、同じ色彩のタイルを入手できない場合が多く、その改修が困難であるという問題があった。
この発明は前記問題点に鑑みてなされたものであり、躯体から浮き上がったタイル壁を、剥落させることなく改修することができるタイル壁の改修方法を提供することを目的とする。
【０００３】
【課題を解決するための手段】
前記目的を達成するためのこの発明のタイル壁の改修方法は、タイル壁とこのタイル壁で覆われた躯体とに、アンカーナットを打ち込むための第１の孔を、前記タイル壁の目地部に沿って所定間隔毎に形成する工程と、
前記タイル壁に、その裏面と躯体のタイル貼り面との間に接着剤を充填するための第２の孔を目地部に沿って所定間隔毎に形成する工程と、
前記第１の孔にアンカーナットを打ち込む工程と、
複数に区分されたタイル壁に対して区分毎に当て部材を沿わせ、アンカーボルトを前記アンカーナットにねじ込むことによって当該当て部材をタイル壁に取り付ける工程と、
前記タイル壁を複数の区分毎に切離する工程と、
切離したタイル壁の区分毎にアンカーボルトを増し締めして、タイル壁を区分毎に躯体のタイル貼り面に押し付ける工程と、
タイル壁をタイル貼り面に押し付けた状態で、前記第２の孔を通して接着剤をタイル壁の裏面とタイル貼り面との間に充填する工程と、
前記接着剤を充填した後、前記アンカーボルト及び当て部材を取り外す工程と、
アンカーボルトを取り外した後の前記第１の孔を充填材で埋める工程と、
接着剤を充填した後、前記第２の孔を充填材で埋める工程と、
前記切離されたタイル壁の各区分の境界部を、充填材で埋める工程と
を含むことを特徴としている（請求項１）。
【０００４】
このような構成のタイル壁の改修方法によれば、躯体から浮き上がったタイル壁を、第２の孔を通して充填された接着剤によって、躯体のタイル貼り面に接着することができるので、新たなタイルを用いることなく浮き上がったタイル壁を改修することができる。しかも、タイル壁を複数の区分毎に切離した状態で当該区分毎にタイル貼り面に押し付けるので、面積の広いタイル壁についても、その全体をタイル貼り面に均一に押し付けることができる。さらに、タイル壁を躯体のタイル貼り面に押し付けた状態で、接着剤をタイル壁の裏面とタイル貼り面との間に充填するので、接着剤によってタイル壁に凹凸が生じるのを防止することができる。
【０００５】
前記タイル壁の改修方法においては、前記アンカーボルトとして、グリースを塗布したものを用いるのが好ましく（請求項２）、この場合には、接着剤がアンカーボルトに直接付着するのを防止することができるので、当該アンカーボルトを第１の孔から容易に取り外すことができる。
【０００６】
【発明の実施の形態】
以下この発明の実施の形態について添付図面を参照しながら説明する。
図１〜図９はこの発明のタイル壁の改修方法を示す工程図である。この改修方法においては、まず図１に示すように、一部が建造物の躯体Ｂから浮き上がったタイル壁Ａに、チョーク等で区分線１を書き込んで、当該タイル壁Ａを複数に区分する。各区分の大きさは例えば縦１ｍ、横２ｍ程度とする。
【０００７】
次に、前記タイル壁Ａと躯体Ｂとに、アンカーナット６（図５参照）を打ち込むための第１の孔４を、前記タイル壁Ａの目地部Ｍに沿って所定間隔毎に形成する（図２参照）。この第１の孔４は、ドリルによってタイル壁Ａ部分と躯体Ｂ部分とを一連に削孔して形成する。前記第１の孔４の形成ピッチは、例えば縦方向に５０ｃｍ、横方向に１ｍとする。なお、前記タイル壁Ａと躯体Ｂの表面のタイル貼り面Ｂ１との間には、タイル接着用のモルタル層Ｃが残存している（図３参照）。
【０００８】
さらに、前記タイル壁Ａの所定の目地部Ｍに沿って、第２の孔５を所定間隔毎に形成する（図２参照）。この第２の孔５はタイル壁Ａの裏面と躯体Ｂのタイル貼り面Ｂ１との間に接着剤１０（図６参照）を充填するためのものであり、その形成ピッチは、例えば縦方向に５０ｃｍ、横方向に１ｍとし、その横方向の形成位置は、前記第１の孔４を形成した各目地部Ｍの中間に位置する目地部Ｍである。また、前記第２の孔５はモルタル層Ｃを貫通させた状態でタイル壁Ａに対して斜め下方に向けて削孔する（図６参照）。なお、前記第１の孔４及び第２の孔５は、いずれを先に形成してもよい。
【０００９】
第１の孔４の形成工程が完了すると、各第１の孔４にアンカーナット６を打ち込む（図３参照）。このアンカーナット６は、軸方向に延びるスリット６ａを複数条形成したものであり、後述のアンカーボルト７をねじ込むことによって拡径して、第１の孔４から抜脱するのが阻止される。前記アンカーナット６の頭部側の一部は、躯体Ｂからタイル壁Ａの内部に突出させておく。
また、前記第２の孔５の形成工程が完了すると、当該第２の孔５にアクリル樹脂製のパイプからなる充填プラグ９を打ち込む（図６参照）。この充填プラグ９の頭部側は、タイル壁Ａから所定長さ突出させておく。
【００１０】
次に、前記タイル壁Ａに対してアンカーボルト７を用いて木製の角材からなる当て部材８を取り付ける（図４及び図５参照）。この当て部材８の長さはタイル壁Ａの各区分の縦方向長さよりも若干短くなっており、当該当て部材８をタイル壁Ａの各区分内において第１の孔４の縦一列単位に取り付ける。この際、当て部材８に予め形成されている貫通孔にアンカーボルト７を挿通させ、その先端部をアンカーナット６にねじ込む。このアンカーボルト７はアンカーナット６に対して軽く締め付けておく。また、前記アンカーボルト７は予めグリースを塗布した状態でアンカーナット６にねじ込む。
【００１１】
タイル壁Ａの全ての区分について、当て部材８の取り付けが完了すると、当該タイル壁Ａを区分毎に切離する（図７参照）。この切離作業は、前記区分線１に沿って例えばサンダーによりタイルを切断することにより行う。この際、アンカーボルト７及び当て部材８によってタイル壁Ａが支持されているので、振動によってタイル壁Ａが剥落するのを防止することができる。
【００１２】
次に、切離したタイル壁Ａの区分毎にアンカーボルト７を増し締めして、タイル壁Ａを区分毎に躯体Ｂのタイル貼り面Ｂ１に押し付ける。これにより、タイル貼り面Ｂ１から浮いていたタイル壁Ａを、タイル貼り面Ｂ１に密着させることができる。また、区分毎にタイル壁Ａをタイル貼り面Ｂ１に押し付けるので、タイル壁Ａ全体を容易かつ均一にタイル貼り面Ｂ１に押し付けることができる。
【００１３】
タイル壁Ａの全ての区分についてアンカーボルト７の増し締めが完了すると、前記第２の孔５に打ち込んだ充填プラグ９を通して、例えばエポキシ樹脂系の接着剤１０をタイル壁Ａの裏面とタイル貼り面Ｂ１との間に充填する（図６参照）。これにより、タイル壁Ａの裏面とタイル貼り面Ｂ１との間の隙間に接着剤１０を浸透させて両者を接着させることができる。このように、タイル壁Ａをタイル貼り面Ｂ１に押し付けた状態で接着剤１０を充填するので、接着剤１０の使用量を少なくすることができる。なお、タイル壁Ａがタイル貼り面Ｂ１から浮いた状態で接着剤１０を充填すると、多量の接着剤１０が必要になるだけでなく、タイル壁Ａとタイル貼り面Ｂ１との間に多量の接着剤が残存して、タイル壁Ａに凹凸を生じることになる。
【００１４】
各充填プラグ９毎に接着剤１０の充填が完了すると、アンカーボルト７を取り外して当て部材８をタイル壁Ａから除去する。この際、前記アンカーボルト７に塗布したグリースによって、接着剤１０がアンカーボルト７に固着するのが阻止されているので、アンカーボルト７を第１の孔４から容易に取り外すことができる。
さらに、アンカーボルト７を取り外した各第１の孔４について、その少なくとも開口側の所定域に充填材１１を注入して、当該充填材１１により第１の孔４を埋める（図８参照）。また、充填プラグ９のタイル壁Ａから突出した部分を切断除去し、その開口側の所定域に充填材１１を注入して、当該充填材１１により第２の孔５を埋める（図９参照）。その後、前記切離されたタイル壁Ａの各区分の境界部１２の溝（図７参照）を、充填材１１で埋める。
前記充填材１１としては、第１の孔４及び第２の孔５の痕跡が目立たないように、目地部Ｍと同系色のものが用いられる。
【００１５】
以上の工程からなるタイル壁の改修方法によれば、躯体から浮き上がったタイル壁Ａをそのまま利用して改修することができるので、タイル壁Ａの色がばらつくのを防止することができるとともに、同じ色彩のタイルを入手することが困難な歴史的な建造物等についても、容易に改修することができる。
なお、前記したこの発明のタイル壁の改修方法の施工順序については、前記以外に適宜変更して実施することができる。
【００１６】
【発明の効果】
以上のように、請求項１記載のタイル壁の改修方法によれば、躯体から浮き上がったタイル壁を、新たなタイルを用いることなく改修することができるので、タイル壁の色がばらついて外観が悪化するのを防止することができるとともに、同じ色彩のタイルを入手することが困難な歴史的な建造物等についても、その風合いを大きく損ねることなく容易に改修することができる。
特に、タイル壁を複数の区分毎に切離した状態で当該区分毎にタイル貼り面に押し付けるので、面積の広いタイル壁についても、その全体をタイル貼り面に均一に押し付けることができ、ひいてはタイル壁に凹凸が生じるのを防止することができる。また、タイル壁を躯体のタイル貼り面に押し付けた状態で、接着剤をタイル壁の裏面とタイル貼り面との間に充填するので、接着剤によってタイル壁に凹凸が生じるのを防止することもできる。
【００１７】
請求項２記載のタイル壁の改修方法によれば、前記アンカーボルトとしてグリースを塗布したものを用いるので、接着剤がアンカーボルトに直接付着するのを防止することができる。このため、当該アンカーボルトを第１の孔から容易に取り外すことができ、その分、施工工数を少なくすることができる。
【図面の簡単な説明】
【図１】この発明のタイル壁の改修方法の一実施形態を示す図であり、タイル壁を区分した状態を示す正面図である。
【図２】第１の孔及び第２の孔を形成した状態を示す正面図である。
【図３】第２の孔にアンカーナットを打ち込んだ状態を示す断面図である。
【図４】当て部材を取り付けた状態を示す正面図である。
【図５】アンカーナットにアンカーボルトをねじ込んだ状態を示す断面図である。
【図６】第２の孔に充填プラグを打ち込んだ状態を示す断面図である。
【図７】タイル壁を切離した状態を示す正面図である。
【図８】第１の孔を埋めた状態を示す断面図である。
【図９】第２の孔を埋めた状態を示す断面図である。
【符号の説明】
１      区分線
４      第１の孔
５      第２の孔
６      アンカーナット
７      アンカーボルト
８      当て部材
９      充填プラグ
１０    接着剤
１１    充填材
１２    境界部
Ａ      タイル壁
Ｂ      躯体
Ｂ１    タイル貼り面
Ｍ      目地部
【図１】
0003916467.tif 000002
【図２】
0003916467.tif 000003
【図３】
0003916467.tif 000004
【図４】
0003916467.tif 000005
【図５】
0003916467.tif 000006
【図６】
0003916467.tif 000007
【図７】
0003916467.tif 000008
【図８】
0003916467.tif 000009
【図９】
0003916467.tif 000010